(57)【要約】【課題】本発明は盗難防止ハンドバッグを開示した。【解決手段】外殻を含み、前記外殻の中には前後に対称的なインナープレートが設けられ、前記外殻の中には上に開口した収納チャンバが設けられ、前記インナープレートの間には前記外殻を切断してアイテムを盗むことを防ぐ盗難防止ネット部品が設けられ、後側の前記インナープレートの後端面には後凸台が設けられ、前記後凸台にはネジによりベルトを取り付け、前側の前記インナープレートの前端面には前凸台が設けられ、前記ベルトの端部には連結ブロックが設けられ、前記連結ブロックと前記前凸台との間には前記ベルトをロックするロック部品が設けられる。【選択図】図１
2020175106.tif 000002
【特許請求の範囲】
【請求項１】
盗難防止ハンドバッグであって、外殻を含み、前記外殻の中には前後に対称的なインナープレートが設けられ、前記外殻の中には上に開口した収納チャンバが設けられ、前記インナープレートの間には前記外殻を切断してアイテムを盗むことを防ぐ盗難防止ネット部品が設けられ、後側の前記インナープレートの後端面には後凸台が設けられ、前記後凸台にはネジによりベルトを取り付け、前側の前記インナープレートの前端面には前凸台が設けられ、前記ベルトの端部には連結ブロックが設けられ、前記連結ブロックと前記前凸台との間には前記ベルトをロックするロック部品が設けられ、前記ロック部品は前記前凸台の中に位置する上に開口したロックチャンバを含み、前記連結ブロックの中には左右に貫通する貫通溝が設けられ、前記ロックチャンバの左右壁の中には対称的な第四チャンバが設けられ、前記第四チャンバの中にはロックブロックが弾性的に取り付けられ、前記ロックブロックは前記貫通溝と差し込み連結し係合され、前記貫通溝の中には二つのプッシュブロックがスライドできるように取り付けられ、前記前凸台の中には前記ロック部品のロックを解除するロック解除部品が設けられ、前記ロック解除部品は前記ロックチャンバの底壁と連通している伸縮溝を含み、前記伸縮溝の中には伸縮ブロックがスライドできるように取り付けられ、前記伸縮ブロックは前記プッシュブロックとスライドできるように係合されることができ、前記前凸台の中には前記ロック解除部品に電力を提供する給電部品が設けられることを特徴とする盗難防止ハンドバッグ。
【請求項２】
前記給電部品は前記前凸台の中に位置する上に開口したバッテリ溝を含み、前記バッテリ溝の中にはバッテリが電気により係合取り付けられ、前記バッテリにはバッテリ殻が設けられ、前記バッテリ溝の左側壁には上に開口した第一チャンバが設けられ、前記第一チャンバの中には阻みブロックが弾性的に取り付けられ、前記阻みブロックの左端面にはサイドスライダーが設けられ、前記サイドスライダーは前記第一チャンバの左側壁とスライドできるように係合され、前記前凸台の中には前記第一チャンバと連通している第二チャンバが設けられ、前記前凸台の頂部端面の中には前記第二チャンバと連通している押圧ロッド溝が設けられ、前記第二チャンバの中には差し込みブロックが弾性的に取り付けられ、前記バッテリ殻の左端面には差し込み溝が設けられ、前記差し込み溝は前記差し込みブロックと差し込み連結されて係合され、前記差し込みブロックの中には上に開口した割れ目が設けられ、前記押圧ロッド溝の中には押圧ロッドがスライドできるように取り付けられ、前記押圧ロッドは前記割れ目と差し込み連結されて係合され、前記押圧ロッド溝には第三チャンバが連通して設けられ、前記押圧ロッドには押し板が設けられ、前記押し板と前記第三チャンバの底壁との間にはばねが設けられ、前記前凸台の中にはスペアバッテリが設けられ、前記前凸台の右端面には充電孔が設けられ、バッテリを取り付けるとき、バッテリをバッテリ溝の中に挿入させ、差し込みブロックは差し込み溝と差し込み連結され、バッテリをロックし、針状物で押圧ロッドを押して差し込みブロックを押し動かして左に移動させ、阻みブロックはバッテリ殻およびバッテリを押し動かして上に移動させ、バッテリを取り出すことができることを特徴とする請求項１に記載の盗難防止ハンドバッグ。
【請求項３】
前記ロック部品は前記貫通溝の底壁に位置し前記連結ブロックの底部端面を貫通しているロック解除溝も含み、前記プッシュブロックの頂部端面にはトップスライダーが設けられ、前記トップスライダーは前記貫通溝の頂壁とスライドできるように係合され、前記ロックブロックの底部端面にはボトムスライダーが設けられ、前記ボトムスライダーは前記第四チャンバの底壁とスライドできるように係合され、連結ブロックをロックチャンバの中に挿入し、ロックブロックは貫通溝に入り、連結ブロックをロックすることを特徴とする請求項１に記載の盗難防止ハンドバッグ。
【請求項４】
前記ロック解除部品は前記前凸台の前端面に位置するスクリーンも含み、前記前凸台の中にはチップが設けられ、前記伸縮溝の下方にはモータが設けられ、前記モータの上方出力軸にはねじ軸が連結され、前記ねじ軸は前記伸縮ブロックとねじ山によって係合され、ロックを解除するときはスクリーンで指を押し、指紋が正しい場合に、モータは始動し伸縮ブロックを連動させて上方に移動させ、伸縮ブロックがロック解除溝の中に入った後に両側のロックブロックを貫通溝から移出させることを特徴とする請求項１に記載の盗難防止ハンドバッグ。
【請求項５】
前記盗難防止ネット部品は前記外殻の中に位置する左右に対称的な内チャンバを含み、前記内チャンバにおいて前後両側の前記インナープレートの間には均一に配置されるサイドチェーンベルトが接続され、左右両側の前記インナープレートの間には左から右へ均一に配置されるボトムチェーンベルトが連結され、サイドチェーンベルトとボトムチェーンベルトの作用により、側部または底部から収納チャンバの中の物品を取り出すために外殻が切断されることを防止することができることを特徴とする請求項１に記載の盗難防止ハンドバッグ。
【発明の詳細な説明】
【技術分野】
【０００１】
本発明はハンドバッグ分野を取り上げて、具体的には盗難防止ハンドバッグである。
【背景技術】
【０００２】
バスや他のシーンで、泥棒はナイフを使って鞄を切ってものを盗むニュースが常にあり、そのようなバッグの底部および側部には保護装置がなく、外殻を切断することによって内部アイテムを取り出すことができ、一般的なバッグは開ける方法が簡単で、機密性は十分に強くなく、指紋は誰にとっても異なる特徴で、開けるために指紋を使用すると、機密性を大幅に高めることができる。
【先行技術文献】
【特許文献】
【０００３】
【特許文献１】中国特許出願公開第１０２０６８０９６号明細書
【発明の概要】
【発明が解決しようとする課題】
【０００４】
本発明は盗難防止ハンドバッグを提供し、既存技術にある上記の欠点を解消することを目的とする。
【課題を解決するための手段】
【０００５】
本発明の実施例の盗難防止ハンドバッグは、外殻を含み、前記外殻の中には前後に対称的なインナープレートが設けられ、前記外殻の中には上に開口した収納チャンバが設けられ、前記インナープレートの間には前記外殻を切断してアイテムを盗むことを防ぐ盗難防止ネット部品が設けられ、後側の前記インナープレートの後端面には後凸台が設けられ、前記後凸台にはネジによりベルトを取り付け、前側の前記インナープレートの前端面には前凸台が設けられ、前記ベルトの端部には連結ブロックが設けられ、前記連結ブロックと前記前凸台との間には前記ベルトをロックするロック部品が設けられ、前記ロック部品は前記前凸台の中に位置する上に開口したロックチャンバを含み、前記連結ブロックの中には左右に貫通する貫通溝が設けられ、前記ロックチャンバの左右壁の中には対称的な第四チャンバが設けられ、前記第四チャンバの中にはロックブロックが弾性的に取り付けられ、前記ロックブロックは前記貫通溝と差し込み連結し係合され、前記貫通溝の中には二つのプッシュブロックがスライドできるように取り付けられ、前記前凸台の中には前記ロック部品のロックを解除するロック解除部品が設けられ、前記ロック解除部品は前記ロックチャンバの底壁と連通している伸縮溝を含み、前記伸縮溝の中には伸縮ブロックがスライドできるように取り付けられ、前記伸縮ブロックは前記プッシュブロックとスライドできるように係合されることができ、前記前凸台の中には前記ロック解除部品に電力を提供する給電部品が設けられる。
【０００６】
前記給電部品は前記前凸台の中に位置する上に開口したバッテリ溝を含み、前記バッテリ溝の中にはバッテリが電気により係合取り付けられ、前記バッテリにはバッテリ殻が設けられ、前記バッテリ溝の左側壁には上に開口した第一チャンバが設けられ、前記第一チャンバの中には阻みブロックが弾性的に取り付けられ、前記阻みブロックの左端面にはサイドスライダーが設けられ、前記サイドスライダーは前記第一チャンバの左側壁とスライドできるように係合され、前記前凸台の中には前記第一チャンバと連通している第二チャンバが設けられ、前記前凸台の頂部端面の中には前記第二チャンバと連通している押圧ロッド溝が設けられ、前記第二チャンバの中には差し込みブロックが弾性的に取り付けられ、前記バッテリ殻の左端面には差し込み溝が設けられ、前記差し込み溝は前記差し込みブロックと差し込み連結されて係合され、前記差し込みブロックの中には上に開口した割れ目が設けられ、前記押圧ロッド溝の中には押圧ロッドがスライドできるように取り付けられ、前記押圧ロッドは前記割れ目と差し込み連結されて係合され、前記押圧ロッド溝には第三チャンバが連通して設けられ、前記押圧ロッドには押し板が設けられ、前記押し板と前記第三チャンバの底壁との間にはばねが設けられ、前記前凸台の中にはスペアバッテリが設けられ、前記前凸台の右端面には充電孔が設けられる。
【０００７】
前記ロック部品は前記貫通溝の底壁に位置し前記連結ブロックの底部端面を貫通しているロック解除溝も含み、前記プッシュブロックの頂部端面にはトップスライダーが設けられ、前記トップスライダーは前記貫通溝の頂壁とスライドできるように係合され、前記ロックブロックの底部端面にはボトムスライダーが設けられ、前記ボトムスライダーは前記第四チャンバの底壁とスライドできるように係合される。
【０００８】
前記ロック解除部品は前記前凸台の前端面に位置するスクリーンも含み、前記前凸台の中にはチップが設けられ、前記伸縮溝の下方にはモータが設けられ、前記モータの上方出力軸にはねじ軸が連結され、前記ねじ軸は前記伸縮ブロックとねじ山によって係合される。
【０００９】
前記盗難防止ネット部品は前記外殻の中に位置する左右に対称的な内チャンバを含み、前記内チャンバにおいて前後両側の前記インナープレートの間には均一に配置されるサイドチェーンベルトが接続され、左右両側の前記インナープレートの間には左から右へ均一に配置されるボトムチェーンベルトが連結される。
【発明の効果】
【００１０】
本発明の有益な効果は：本発明は、サイドチェーンベルトとボトムチェーンベルトとを有し、内部物品を取り出すために外殻１２が切断されるのを防止することができ、指紋でロック解除し、機密性が高く、バッテリーの取り付けと交換は簡単で、市場の見通しがあり、宣伝価値がある。
【図面の簡単な説明】
【００１１】
【図１】図１は本発明の盗難防止ハンドバッグの全体構成概略図
【図２】図２は図１の前断面構成概略図
【図３】図３は図１の中のＡ−Ａ方向の断面構成概略図
【図４】図４は図３の中のＢの拡大概略図
【発明を実施するための形態】
【００１２】
下記に図１〜４を合わせて本発明を詳しく説明する。説明を便利にさせるように、ここで後文に出る方位を下記の通りに規定する：下記の上下左右前後という方向は図３自身の投影関係の上下左右前後の方向と一致している。
【００１３】
図１〜４を参照し、本発明の実施例の盗難防止ハンドバッグは、外殻１２を含み、前記外殻１２の中には前後に対称的なインナープレート１４が設けられ、前記外殻１２の中には上に開口した収納チャンバ１８が設けられ、前記インナープレート１４の間には前記外殻１２を切断してアイテムを盗むことを防ぐ盗難防止ネット部品９０１が設けられ、後側の前記インナープレート１４の後端面には後凸台１５が設けられ、前記後凸台１５にはネジによりベルト１１を取り付け、前側の前記インナープレート１４の前端面には前凸台１７が設けられ、前記ベルト１１の端部には連結ブロック３４が設けられ、前記連結ブロック３４と前記前凸台１７との間には前記ベルト１１をロックするロック部品９０２が設けられ、前記ロック部品９０２は前記前凸台１７の中に位置する上に開口したロックチャンバ４０を含み、前記連結ブロック３４の中には左右に貫通する貫通溝３５が設けられ、前記ロックチャンバ４０の左右壁の中には対称的な第四チャンバ３０が設けられ、前記第四チャンバ３０の中にはロックブロック３２が弾性的に取り付けられ、前記ロックブロック３２は前記貫通溝３５と差し込み連結し係合され、前記貫通溝３５の中には二つのプッシュブロック３７がスライドできるように取り付けられ、前記前凸台１７の中には前記ロック部品９０２のロックを解除するロック解除部品９０３が設けられ、前記ロック解除部品９０３は前記ロックチャンバ４０の底壁と連通している伸縮溝４２を含み、前記伸縮溝４２の中には伸縮ブロック４３がスライドできるように取り付けられ、前記伸縮ブロック４３は前記プッシュブロック３７とスライドできるように係合されることができ、前記前凸台１７の中には前記ロック解除部品９０３に電力を提供する給電部品９０４が設けられる。
【００１４】
前記給電部品９０４は前記前凸台１７の中に位置する上に開口したバッテリ溝２７を含み、前記バッテリ溝２７の中にはバッテリ２６が電気により係合取り付けられ、前記バッテリ２６にはバッテリ殻５０が設けられ、前記バッテリ溝２７の左側壁には上に開口した第一チャンバ２４が設けられ、前記第一チャンバ２４の中には阻みブロック２３が弾性的に取り付けられ、前記阻みブロック２３の左端面にはサイドスライダー２２が設けられ、前記サイドスライダー２２は前記第一チャンバ２４の左側壁とスライドできるように係合され、前記前凸台１７の中には前記第一チャンバ２４と連通している第二チャンバ５６が設けられ、前記前凸台１７の頂部端面の中には前記第二チャンバ５６と連通している押圧ロッド溝５１が設けられ、前記第二チャンバ５６の中には差し込みブロック５７が弾性的に取り付けられ、前記バッテリ殻５０の左端面には差し込み溝６０が設けられ、前記差し込み溝６０は前記差し込みブロック５７と差し込み連結されて係合され、前記差し込みブロック５７の中には上に開口した割れ目５８が設けられ、前記押圧ロッド溝５１の中には押圧ロッド５５がスライドできるように取り付けられ、前記押圧ロッド５５は前記割れ目５８と差し込み連結されて係合され、前記押圧ロッド溝５１には第三チャンバ５２が連通して設けられ、前記押圧ロッド５５には押し板５３が設けられ、前記押し板５３と前記第三チャンバ５２の底壁との間にはばね５４が設けられ、前記前凸台１７の中にはスペアバッテリ４４が設けられ、前記前凸台１７の右端面には充電孔４５が設けられ、バッテリ２６を取り付けるとき、バッテリ２６をバッテリ溝２７の中に挿入させ、差し込みブロック５７は差し込み溝６０と差し込み連結され、バッテリ２６をロックし、針状物で押圧ロッド５５を押して差し込みブロック５７を押し動かして左に移動させ、阻みブロック２３はバッテリ殻５０およびバッテリ２６を押し動かして上に移動させ、バッテリ２６を取り出すことができる。
【００１５】
前記ロック部品９０２は前記貫通溝３５の底壁に位置し前記連結ブロック３４の底部端面を貫通しているロック解除溝３８も含み、前記プッシュブロック３７の頂部端面にはトップスライダー３６が設けられ、前記トップスライダー３６は前記貫通溝３５の頂壁とスライドできるように係合され、前記ロックブロック３２の底部端面にはボトムスライダー４１が設けられ、前記ボトムスライダー４１は前記第四チャンバ３０の底壁とスライドできるように係合され、連結ブロック３４をロックチャンバ４０の中に挿入し、ロックブロック３２は貫通溝３５に入り、連結ブロック３４をロックする。
【００１６】
前記ロック解除部品９０３は前記前凸台１７の前端面に位置するスクリーン２８も含み、前記前凸台１７の中にはチップ４８が設けられ、前記伸縮溝４２の下方にはモータ４６が設けられ、前記モータ４６の上方出力軸にはねじ軸４７が連結され、前記ねじ軸４７は前記伸縮ブロック４３とねじ山によって係合され、ロックを解除するときはスクリーン２８で指を押し、指紋が正しい場合に、モータ４６は始動し伸縮ブロック４３を連動させて上方に移動させ、伸縮ブロック４３がロック解除溝３８の中に入った後に両側のロックブロック３２を貫通溝３５から移出させる。
【００１７】
前記盗難防止ネット部品９０１は前記外殻１２の中に位置する左右に対称的な内チャンバ１６を含み、前記内チャンバ１６において前後両側の前記インナープレート１４の間には均一に配置されるサイドチェーンベルト１３が接続され、左右両側の前記インナープレート１４の間には左から右へ均一に配置されるボトムチェーンベルト２０が連結され、サイドチェーンベルト１３とボトムチェーンベルト２０の作用により、側部または底部から収納チャンバ１８の中の物品を取り出すために外殻１２が切断されることを防止することができる。
【００１８】
利用するとき、連結ブロック３４をロックチャンバ４０の中に挿入し、連結ブロック３４がロックブロック３２を第四チャンバ３０の中に押し込み、接続ブロック３４が下がり続け、ロックブロック３２が貫通溝３５に入り、連結ブロック３４をロックし、左右両側のロックブロック３２がプッシュブロック３７をきつく挟み、ロックを解除するときにスクリーン２８で指を押し、チップ４８は指紋を比較し始め、指紋が正しい場合に、モータ４６は始動しねじ軸４７を回転連動させ、ねじ軸４７がねじ山の係合によって伸縮ブロック４３を連動させて上方に移動させ、伸縮ブロック４３がロック解除溝３８の中に入った後に両側のプッシュブロック３７と接触し、両側のプッシュブロック３７を押し、両側のロックブロック３２を貫通溝３５から移出させ、連結ブロック３４を引き出すことができる。
【００１９】
バッテリ２６を取り付けるとき、バッテリ２６をバッテリ溝２７の中に挿入させ、バッテリ殻５０は阻みブロック２３を押圧して下方に移動させ、差し込みブロック５７は阻みブロック２３によって阻まなくなり、差し込みブロック５７が差し込み溝６０と差し込み連結され、バッテリー２６をロックし、電池２６を取り替える必要があるときは、針状物で押圧ロッド５５を押し、押圧ロッド５５は割れ目５８と作動し合い、押圧ロッド５５が下方に移動し続け、差し込みブロック５７を押し動かして左に移動させ、阻みブロック２３がバッテリ殻５０と差し込みブロック５７とを押し動かして上に移動させ、バッテリ２６を取り出すことができ、バッテリ２６が消耗された後にスペアバッテリ４４を使い始め、充電孔４５を通してスペアバッテリ４４を充電することができる。
【００２０】
チップ４８によって携帯電話に連結し、スクリーン２８から指紋を入力し、チップ４８は指紋を記録し、サイドチェーンベルト１３とボトムチェーンベルト２０の作用により、側部または底部から収納チャンバ１８の中の物品を取り出すために外殻１２が切断されるのを防止することができる。
【００２１】
本発明の有益な効果は：本発明は、サイドチェーンベルトとボトムチェーンベルトとを有し、内部物品を取り出すために外殻１２が切断されるのを防止することができ、指紋でロック解除し、機密性が高く、バッテリーの取り付けと交換は簡単で、市場の見通しがあり、宣伝価値がある。
【００２２】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020175106.tif 000003
【図２】
2020175106.tif 000004
【図３】
2020175106.tif 000005
【図４】
2020175106.tif 000006
【手続補正書】
【提出日】令和2年4月16日(2020.4.16)
【手続補正１】
【補正対象書類名】特許請求の範囲
【補正対象項目名】全文
【補正方法】変更
【補正の内容】
【特許請求の範囲】
【請求項１】
盗難防止ハンドバッグであって、外殻を含み、前記外殻の中には前後に対称的なインナープレートが設けられ、前記外殻の中には上に開口した収納チャンバが設けられ、前記インナープレートの間には前記外殻を切断してアイテムを盗むことを防ぐ盗難防止ネット部品が設けられ、後側の前記インナープレートの後端面には第一固定ブロックが設けられ、前記第一固定ブロックにはネジによりベルトを取り付け、前側の前記インナープレートの前端面には第二固定ブロックが設けられ、前記ベルトの端部には連結ブロックが設けられ、前記連結ブロックと前記第二固定ブロックとの間には前記ベルトをロックするロック部品が設けられ、前記ロック部品は前記第二固定ブロックの中に位置する上に開口したロックチャンバを含み、前記連結ブロックの中には左右に貫通する貫通溝が設けられ、前記ロックチャンバの左右壁の中には対称的な第四チャンバが設けられ、前記第四チャンバの中にはロックブロックが弾性的に取り付けられ、前記ロックブロックは前記貫通溝と差し込み連結し係合され、前記貫通溝の中には二つのプッシュブロックがスライドできるように取り付けられ、前記第二固定ブロックの中には前記ロック部品のロックを解除するロック解除部品が設けられ、前記ロック解除部品は前記ロックチャンバの底壁と連通している伸縮溝を含み、前記伸縮溝の中には伸縮ブロックがスライドできるように取り付けられ、前記伸縮ブロックは前記プッシュブロックとスライドできるように係合されることができ、前記第二固定ブロックの中には前記ロック解除部品に電力を提供する給電部品が設けられ、
前記盗難防止ネット部品は前記外殻の中に位置する左右に対称的な内チャンバを含み、前記内チャンバにおいて前後両側の前記インナープレートの間には均一に配置されるサイドチェーンベルトが接続され、左右両側の前記インナープレートの間には左から右へ均一に配置されるボトムチェーンベルトが連結され、サイドチェーンベルトとボトムチェーンベルトの作用により、側部または底部から収納チャンバの中の物品を取り出すために外殻が切断されることを防止することができることを特徴とする盗難防止ハンドバッグ。
【請求項２】
前記給電部品は前記第二固定ブロックの中に位置する上に開口したバッテリ溝を含み、前記バッテリ溝の中にはバッテリが電気により係合取り付けられ、前記バッテリにはバッテリ殻が設けられ、前記バッテリ溝の左側壁には上に開口した第一チャンバが設けられ、前記第一チャンバの中には阻みブロックが弾性的に取り付けられ、前記阻みブロックの左端面にはサイドスライダーが設けられ、前記サイドスライダーは前記第一チャンバの左側壁とスライドできるように係合され、前記第二固定ブロックの中には前記第一チャンバと連通している第二チャンバが設けられ、前記第二固定ブロックの頂部端面の中には前記第二チャンバと連通している押圧ロッド溝が設けられ、前記第二チャンバの中には差し込みブロックが弾性的に取り付けられ、前記バッテリ殻の左端面には差し込み溝が設けられ、前記差し込み溝は前記差し込みブロックと差し込み連結されて係合され、前記差し込みブロックの中には上に開口した割れ目が設けられ、前記押圧ロッド溝の中には押圧ロッドがスライドできるように取り付けられ、前記押圧ロッドは前記割れ目と差し込み連結されて係合され、前記押圧ロッド溝には第三チャンバが連通して設けられ、前記押圧ロッドには押し板が設けられ、前記押し板と前記第三チャンバの底壁との間にはばねが設けられ、前記第二固定ブロックの中にはスペアバッテリが設けられ、前記第二固定ブロックの右端面には充電孔が設けられ、バッテリを取り付けるとき、バッテリをバッテリ溝の中に挿入させ、差し込みブロックは差し込み溝と差し込み連結され、バッテリをロックし、針状物で押圧ロッドを押して差し込みブロックを押し動かして左に移動させ、阻みブロックはバッテリ殻およびバッテリを押し動かして上に移動させ、バッテリを取り出すことができることを特徴とする請求項１に記載の盗難防止ハンドバッグ。
【請求項３】
前記ロック部品は前記貫通溝の底壁に位置し前記連結ブロックの底部端面を貫通しているロック解除溝も含み、前記プッシュブロックの頂部端面にはトップスライダーが設けられ、前記トップスライダーは前記貫通溝の頂壁とスライドできるように係合され、前記ロックブロックの底部端面にはボトムスライダーが設けられ、前記ボトムスライダーは前記第四チャンバの底壁とスライドできるように係合され、連結ブロックをロックチャンバの中に挿入し、ロックブロックは貫通溝に入り、連結ブロックをロックすることを特徴とする請求項１に記載の盗難防止ハンドバッグ。
【請求項４】
前記ロック解除部品は前記第二固定ブロックの前端面に位置するスクリーンも含み、前記スクリーンは指紋認証機能を有し、前記第二固定ブロックの中にはチップが設けられ、前記伸縮溝の下方にはモータが設けられ、前記モータの上方出力軸にはねじ軸が連結され、前記ねじ軸は前記伸縮ブロックとねじ山によって係合され、ロックを解除するときはスクリーンで指を押し、指紋が正しい場合に、モータは始動し伸縮ブロックを連動させて上方に移動させ、伸縮ブロックがロック解除溝の中に入った後に両側のロックブロックを貫通溝から移出させることを特徴とする請求項１に記載の盗難防止ハンドバッグ。
【手続補正２】
【補正対象書類名】明細書
【補正対象項目名】全文
【補正方法】変更
【補正の内容】
【発明の詳細な説明】
【技術分野】
【０００１】
本発明はハンドバッグ分野を取り上げて、具体的には盗難防止ハンドバッグである。
【背景技術】
【０００２】
バスや他のシーンで、泥棒はナイフを使って鞄を切ってものを盗むニュースが常にあり、そのようなバッグの底部および側部には保護装置がなく、外殻を切断することによって内部アイテムを取り出すことができ、一般的なバッグは開ける方法が簡単で、機密性は十分に強くなく、指紋は誰にとっても異なる特徴で、開けるために指紋を使用すると、機密性を大幅に高めることができる。
【先行技術文献】
【特許文献】
【０００３】
【特許文献１】中国特許出願公開第１０２０６８０９６号明細書
【発明の概要】
【発明が解決しようとする課題】
【０００４】
本発明は盗難防止ハンドバッグを提供し、既存技術にある上記の欠点を解消することを目的とする。
【課題を解決するための手段】
【０００５】
本発明の実施例の盗難防止ハンドバッグは、外殻を含み、前記外殻の中には前後に対称的なインナープレートが設けられ、前記外殻の中には上に開口した収納チャンバが設けられ、前記インナープレートの間には前記外殻を切断してアイテムを盗むことを防ぐ盗難防止ネット部品が設けられ、後側の前記インナープレートの後端面には第一固定ブロックが設けられ、前記第一固定ブロックにはネジによりベルトを取り付け、前側の前記インナープレートの前端面には第二固定ブロックが設けられ、前記ベルトの端部には連結ブロックが設けられ、前記連結ブロックと前記第二固定ブロックとの間には前記ベルトをロックするロック部品が設けられ、前記ロック部品は前記第二固定ブロックの中に位置する上に開口したロックチャンバを含み、前記連結ブロックの中には左右に貫通する貫通溝が設けられ、前記ロックチャンバの左右壁の中には対称的な第四チャンバが設けられ、前記第四チャンバの中にはロックブロックが弾性的に取り付けられ、前記ロックブロックは前記貫通溝と差し込み連結し係合され、前記貫通溝の中には二つのプッシュブロックがスライドできるように取り付けられ、前記第二固定ブロックの中には前記ロック部品のロックを解除するロック解除部品が設けられ、前記ロック解除部品は前記ロックチャンバの底壁と連通している伸縮溝を含み、前記伸縮溝の中には伸縮ブロックがスライドできるように取り付けられ、前記伸縮ブロックは前記プッシュブロックとスライドできるように係合されることができ、前記第二固定ブロックの中には前記ロック解除部品に電力を提供する給電部品が設けられる。
【０００６】
前記給電部品は前記第二固定ブロックの中に位置する上に開口したバッテリ溝を含み、前記バッテリ溝の中にはバッテリが電気により係合取り付けられ、前記バッテリにはバッテリ殻が設けられ、前記バッテリ溝の左側壁には上に開口した第一チャンバが設けられ、前記第一チャンバの中には阻みブロックが弾性的に取り付けられ、前記阻みブロックの左端面にはサイドスライダーが設けられ、前記サイドスライダーは前記第一チャンバの左側壁とスライドできるように係合され、前記第二固定ブロックの中には前記第一チャンバと連通している第二チャンバが設けられ、前記第二固定ブロックの頂部端面の中には前記第二チャンバと連通している押圧ロッド溝が設けられ、前記第二チャンバの中には差し込みブロックが弾性的に取り付けられ、前記バッテリ殻の左端面には差し込み溝が設けられ、前記差し込み溝は前記差し込みブロックと差し込み連結されて係合され、前記差し込みブロックの中には上に開口した割れ目が設けられ、前記押圧ロッド溝の中には押圧ロッドがスライドできるように取り付けられ、前記押圧ロッドは前記割れ目と差し込み連結されて係合され、前記押圧ロッド溝には第三チャンバが連通して設けられ、前記押圧ロッドには押し板が設けられ、前記押し板と前記第三チャンバの底壁との間にはばねが設けられ、前記第二固定ブロックの中にはスペアバッテリが設けられ、前記第二固定ブロックの右端面には充電孔が設けられる。
【０００７】
前記ロック部品は前記貫通溝の底壁に位置し前記連結ブロックの底部端面を貫通しているロック解除溝も含み、前記プッシュブロックの頂部端面にはトップスライダーが設けられ、前記トップスライダーは前記貫通溝の頂壁とスライドできるように係合され、前記ロックブロックの底部端面にはボトムスライダーが設けられ、前記ボトムスライダーは前記第四チャンバの底壁とスライドできるように係合される。
【０００８】
前記ロック解除部品は前記第二固定ブロックの前端面に位置するスクリーンも含み、前記スクリーンは指紋認証機能を有し、前記第二固定ブロックの中にはチップが設けられ、前記伸縮溝の下方にはモータが設けられ、前記モータの上方出力軸にはねじ軸が連結され、前記ねじ軸は前記伸縮ブロックとねじ山によって係合される。
【０００９】
前記盗難防止ネット部品は前記外殻の中に位置する左右に対称的な内チャンバを含み、前記内チャンバにおいて前後両側の前記インナープレートの間には均一に配置されるサイドチェーンベルトが接続され、左右両側の前記インナープレートの間には左から右へ均一に配置されるボトムチェーンベルトが連結される。
【発明の効果】
【００１０】
本発明の有益な効果は：本発明は、サイドチェーンベルトとボトムチェーンベルトとを有し、内部物品を取り出すために外殻１２が切断されるのを防止することができ、指紋でロック解除し、機密性が高く、バッテリーの取り付けと交換は簡単で、市場の見通しがあり、宣伝価値がある。
【図面の簡単な説明】
【００１１】
【図１】図１は本発明の盗難防止ハンドバッグの全体構成概略図
【図２】図２は図１の前断面構成概略図
【図３】図３は図１の中のＡ−Ａ方向の断面構成概略図
【図４】図４は図３の中のＢの拡大概略図
【発明を実施するための形態】
【００１２】
下記に図１〜４を合わせて本発明を詳しく説明する。説明を便利にさせるように、ここで後文に出る方位を下記の通りに規定する：下記の上下左右前後という方向は図３自身の投影関係の上下左右前後の方向と一致している。
【００１３】
図１〜４を参照し、本発明の実施例の盗難防止ハンドバッグは、外殻１２を含み、前記外殻１２の中には前後に対称的なインナープレート１４が設けられ、前記外殻１２の中には上に開口した収納チャンバ１８が設けられ、前記インナープレート１４の間には前記外殻１２を切断してアイテムを盗むことを防ぐ盗難防止ネット部品９０１が設けられ、後側の前記インナープレート１４の後端面には第一固定ブロック１５が設けられ、前記第一固定ブロック１５にはネジによりベルト１１を取り付け、前側の前記インナープレート１４の前端面には第二固定ブロック１７が設けられ、前記ベルト１１の端部には連結ブロック３４が設けられ、前記連結ブロック３４と前記第二固定ブロック１７との間には前記ベルト１１をロックするロック部品９０２が設けられ、前記ロック部品９０２は前記第二固定ブロック１７の中に位置する上に開口したロックチャンバ４０を含み、前記連結ブロック３４の中には左右に貫通する貫通溝３５が設けられ、前記ロックチャンバ４０の左右壁の中には対称的な第四チャンバ３０が設けられ、前記第四チャンバ３０の中にはロックブロック３２が弾性的に取り付けられ、前記ロックブロック３２は前記貫通溝３５と差し込み連結し係合され、前記貫通溝３５の中には二つのプッシュブロック３７がスライドできるように取り付けられ、前記第二固定ブロック１７の中には前記ロック部品９０２のロックを解除するロック解除部品９０３が設けられ、前記ロック解除部品９０３は前記ロックチャンバ４０の底壁と連通している伸縮溝４２を含み、前記伸縮溝４２の中には伸縮ブロック４３がスライドできるように取り付けられ、前記伸縮ブロック４３は前記プッシュブロック３７とスライドできるように係合されることができ、前記第二固定ブロック１７の中には前記ロック解除部品９０３に電力を提供する給電部品９０４が設けられる。
【００１４】
前記給電部品９０４は前記第二固定ブロック１７の中に位置する上に開口したバッテリ溝２７を含み、前記バッテリ溝２７の中にはバッテリ２６が電気により係合取り付けられ、前記バッテリ２６にはバッテリ殻５０が設けられ、前記バッテリ溝２７の左側壁には上に開口した第一チャンバ２４が設けられ、前記第一チャンバ２４の中には阻みブロック２３が弾性的に取り付けられ、前記阻みブロック２３の左端面にはサイドスライダー２２が設けられ、前記サイドスライダー２２は前記第一チャンバ２４の左側壁とスライドできるように係合され、前記第二固定ブロック１７の中には前記第一チャンバ２４と連通している第二チャンバ５６が設けられ、前記第二固定ブロック１７の頂部端面の中には前記第二チャンバ５６と連通している押圧ロッド溝５１が設けられ、前記第二チャンバ５６の中には差し込みブロック５７が弾性的に取り付けられ、前記バッテリ殻５０の左端面には差し込み溝６０が設けられ、前記差し込み溝６０は前記差し込みブロック５７と差し込み連結されて係合され、前記差し込みブロック５７の中には上に開口した割れ目５８が設けられ、前記押圧ロッド溝５１の中には押圧ロッド５５がスライドできるように取り付けられ、前記押圧ロッド５５は前記割れ目５８と差し込み連結されて係合され、前記押圧ロッド溝５１には第三チャンバ５２が連通して設けられ、前記押圧ロッド５５には押し板５３が設けられ、前記押し板５３と前記第三チャンバ５２の底壁との間にはばね５４が設けられ、前記第二固定ブロック１７の中にはスペアバッテリ４４が設けられ、前記第二固定ブロック１７の右端面には充電孔４５が設けられ、バッテリ２６を取り付けるとき、バッテリ２６をバッテリ溝２７の中に挿入させ、差し込みブロック５７は差し込み溝６０と差し込み連結され、バッテリ２６をロックし、針状物で押圧ロッド５５を押して差し込みブロック５７を押し動かして左に移動させ、阻みブロック２３はバッテリ殻５０およびバッテリ２６を押し動かして上に移動させ、バッテリ２６を取り出すことができる。
【００１５】
前記ロック部品９０２は前記貫通溝３５の底壁に位置し前記連結ブロック３４の底部端面を貫通しているロック解除溝３８も含み、前記プッシュブロック３７の頂部端面にはトップスライダー３６が設けられ、前記トップスライダー３６は前記貫通溝３５の頂壁とスライドできるように係合され、前記ロックブロック３２の底部端面にはボトムスライダー４１が設けられ、前記ボトムスライダー４１は前記第四チャンバ３０の底壁とスライドできるように係合され、連結ブロック３４をロックチャンバ４０の中に挿入し、ロックブロック３２は貫通溝３５に入り、連結ブロック３４をロックする。
【００１６】
前記ロック解除部品９０３は前記第二固定ブロック１７の前端面に位置するスクリーン２８も含み、前記スクリーン２８は指紋認証機能を有し、前記第二固定ブロック１７の中にはチップ４８が設けられ、前記伸縮溝４２の下方にはモータ４６が設けられ、前記モータ４６の上方出力軸にはねじ軸４７が連結され、前記ねじ軸４７は前記伸縮ブロック４３とねじ山によって係合され、ロックを解除するときはスクリーン２８で指を押し、指紋が正しい場合に、モータ４６は始動し伸縮ブロック４３を連動させて上方に移動させ、伸縮ブロック４３がロック解除溝３８の中に入った後に両側のロックブロック３２を貫通溝３５から移出させる。
【００１７】
前記盗難防止ネット部品９０１は前記外殻１２の中に位置する左右に対称的な内チャンバ１６を含み、前記内チャンバ１６において前後両側の前記インナープレート１４の間には均一に配置されるサイドチェーンベルト１３が接続され、左右両側の前記インナープレート１４の間には左から右へ均一に配置されるボトムチェーンベルト２０が連結され、サイドチェーンベルト１３とボトムチェーンベルト２０の作用により、側部または底部から収納チャンバ１８の中の物品を取り出すために外殻１２が切断されることを防止することができる。
【００１８】
利用するとき、連結ブロック３４をロックチャンバ４０の中に挿入し、連結ブロック３４がロックブロック３２を第四チャンバ３０の中に押し込み、接続ブロック３４が下がり続け、ロックブロック３２が貫通溝３５に入り、連結ブロック３４をロックし、左右両側のロックブロック３２がプッシュブロック３７をきつく挟み、ロックを解除するときにスクリーン２８で指を押し、チップ４８は指紋を比較し始め、指紋が正しい場合に、モータ４６は始動しねじ軸４７を回転連動させ、ねじ軸４７がねじ山の係合によって伸縮ブロック４３を連動させて上方に移動させ、伸縮ブロック４３がロック解除溝３８の中に入った後に両側のプッシュブロック３７と接触し、両側のプッシュブロック３７を押し、両側のロックブロック３２を貫通溝３５から移出させ、連結ブロック３４を引き出すことができる。
【００１９】
バッテリ２６を取り付けるとき、バッテリ２６をバッテリ溝２７の中に挿入させ、バッテリ殻５０は阻みブロック２３を押圧して下方に移動させ、差し込みブロック５７は阻みブロック２３によって阻まなくなり、差し込みブロック５７が差し込み溝６０と差し込み連結され、バッテリー２６をロックし、電池２６を取り替える必要があるときは、針状物で押圧ロッド５５を押し、押圧ロッド５５は割れ目５８と作動し合い、押圧ロッド５５が下方に移動し続け、差し込みブロック５７を押し動かして左に移動させ、阻みブロック２３がバッテリ殻５０と差し込みブロック５７とを押し動かして上に移動させ、バッテリ２６を取り出すことができ、バッテリ２６が消耗された後にスペアバッテリ４４を使い始め、充電孔４５を通してスペアバッテリ４４を充電することができる。
【００２０】
チップ４８によって携帯電話に連結し、スクリーン２８から指紋を入力し、チップ４８は指紋を記録し、サイドチェーンベルト１３とボトムチェーンベルト２０の作用により、側部または底部から収納チャンバ１８の中の物品を取り出すために外殻１２が切断されるのを防止することができる。
【００２１】
本発明の有益な効果は：本発明は、サイドチェーンベルトとボトムチェーンベルトとを有し、内部物品を取り出すために外殻１２が切断されるのを防止することができ、指紋でロック解除し、機密性が高く、バッテリーの取り付けと交換は簡単で、市場の見通しがあり、宣伝価値がある。
【００２２】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【手続補正書】
【提出日】令和2年8月7日(2020.8.7)
【手続補正１】
【補正対象書類名】特許請求の範囲
【補正対象項目名】全文
【補正方法】変更
【補正の内容】
【特許請求の範囲】
【請求項１】
盗難防止ハンドバッグであって、外殻を含み、前記外殻の中には前後に対称的なインナープレートが設けられ、前記外殻の中には上に開口した収納チャンバが設けられ、前記インナープレートの間には前記外殻を切断してアイテムを盗むことを防ぐ盗難防止ネット部品が設けられ、後側の前記インナープレートの後端面には後凸台が設けられ、前記後凸台にはネジによりベルトを取り付け、前側の前記インナープレートの前端面には前凸台が設けられ、前記ベルトの端部には連結ブロックが設けられ、前記連結ブロックと前記前凸台との間には前記ベルトをロックするロック部品が設けられ、前記ロック部品は前記前凸台の中に位置する上に開口したロックチャンバを含み、前記連結ブロックの中には左右に貫通する貫通溝が設けられ、前記ロックチャンバの左右壁の中には対称的な第四チャンバが設けられ、前記第四チャンバの中にはロックブロックが弾性的に取り付けられ、前記ロックブロックは前記貫通溝と差し込み連結し係合され、前記貫通溝の中には二つのプッシュブロックがスライドできるように取り付けられ、前記前凸台の中には前記ロック部品のロックを解除するロック解除部品が設けられ、前記ロック解除部品は前記ロックチャンバの底壁と連通している伸縮溝を含み、前記伸縮溝の中には伸縮ブロックがスライドできるように取り付けられ、前記伸縮ブロックは前記プッシュブロックとスライドできるように係合されることができ、前記前凸台の中には前記ロック解除部品に電力を提供する給電部品が設けられ、
前記盗難防止ネット部品は前記外殻の中に位置する左右に対称的な内チャンバを含み、前記内チャンバにおいて前後両側の前記インナープレートの間には均一に配置されるサイドチェーンベルトが接続され、左右両側の前記インナープレートの間には左から右へ均一に配置されるボトムチェーンベルトが連結され、サイドチェーンベルトとボトムチェーンベルトの作用により、側部または底部から収納チャンバの中の物品を取り出すために外殻が切断されることを防止することができることを特徴とする盗難防止ハンドバッグ。
【請求項２】
前記給電部品は前記前凸台の中に位置する上に開口したバッテリ溝を含み、前記バッテリ溝の中にはバッテリが電気により係合取り付けられ、前記バッテリにはバッテリ殻が設けられ、前記バッテリ溝の左側壁には上に開口した第一チャンバが設けられ、前記第一チャンバの中には阻みブロックが弾性的に取り付けられ、前記阻みブロックの左端面にはサイドスライダーが設けられ、前記サイドスライダーは前記第一チャンバの左側壁とスライドできるように係合され、前記前凸台の中には前記第一チャンバと連通している第二チャンバが設けられ、前記前凸台の頂部端面の中には前記第二チャンバと連通している押圧ロッド溝が設けられ、前記第二チャンバの中には差し込みブロックが弾性的に取り付けられ、前記バッテリ殻の左端面には差し込み溝が設けられ、前記差し込み溝は前記差し込みブロックと差し込み連結されて係合され、前記差し込みブロックの中には上に開口した割れ目が設けられ、前記押圧ロッド溝の中には押圧ロッドがスライドできるように取り付けられ、前記押圧ロッドは前記割れ目と差し込み連結されて係合され、前記押圧ロッド溝には第三チャンバが連通して設けられ、前記押圧ロッドには押し板が設けられ、前記押し板と前記第三チャンバの底壁との間にはばねが設けられ、前記前凸台の中にはスペアバッテリが設けられ、前記前凸台の右端面には充電孔が設けられ、バッテリを取り付けるとき、バッテリをバッテリ溝の中に挿入させ、差し込みブロックは差し込み溝と差し込み連結され、バッテリをロックし、針状物で押圧ロッドを押して差し込みブロックを押し動かして左に移動させ、阻みブロックはバッテリ殻およびバッテリを押し動かして上に移動させ、バッテリを取り出すことができることを特徴とする請求項１に記載の盗難防止ハンドバッグ。
【請求項３】
前記ロック部品は前記貫通溝の底壁に位置し前記連結ブロックの底部端面を貫通しているロック解除溝も含み、前記プッシュブロックの頂部端面にはトップスライダーが設けられ、前記トップスライダーは前記貫通溝の頂壁とスライドできるように係合され、前記ロックブロックの底部端面にはボトムスライダーが設けられ、前記ボトムスライダーは前記第四チャンバの底壁とスライドできるように係合され、連結ブロックをロックチャンバの中に挿入し、ロックブロックは貫通溝に入り、連結ブロックをロックすることを特徴とする請求項１に記載の盗難防止ハンドバッグ。
【請求項４】
前記ロック解除部品は前記前凸台の前端面に位置するスクリーンも含み、前記スクリーンは指紋認証機能を有し、前記前凸台の中にはチップが設けられ、前記伸縮溝の下方にはモータが設けられ、前記モータの上方出力軸にはねじ軸が連結され、前記ねじ軸は前記伸縮ブロックとねじ山によって係合され、ロックを解除するときはスクリーンで指を押し、指紋が正しい場合に、モータは始動し伸縮ブロックを連動させて上方に移動させ、伸縮ブロックがロック解除溝の中に入った後に両側のロックブロックを貫通溝から移出させることを特徴とする請求項１に記載の盗難防止ハンドバッグ。
【手続補正２】
【補正対象書類名】明細書
【補正対象項目名】全文
【補正方法】変更
【補正の内容】
【発明の詳細な説明】
【技術分野】
【０００１】
本発明はハンドバッグ分野を取り上げて、具体的には盗難防止ハンドバッグである。
【背景技術】
【０００２】
バスや他のシーンで、泥棒はナイフを使って鞄を切ってものを盗むニュースが常にあり、そのようなバッグの底部および側部には保護装置がなく、外殻を切断することによって内部アイテムを取り出すことができ、一般的なバッグは開ける方法が簡単で、機密性は十分に強くなく、指紋は誰にとっても異なる特徴で、開けるために指紋を使用すると、機密性を大幅に高めることができる。
【先行技術文献】
【特許文献】
【０００３】
【特許文献１】中国特許出願公開第１０２０６８０９６号明細書
【発明の概要】
【発明が解決しようとする課題】
【０００４】
本発明は盗難防止ハンドバッグを提供し、既存技術にある上記の欠点を解消することを目的とする。
【課題を解決するための手段】
【０００５】
本発明の実施例の盗難防止ハンドバッグは、外殻を含み、前記外殻の中には前後に対称的なインナープレートが設けられ、前記外殻の中には上に開口した収納チャンバが設けられ、前記インナープレートの間には前記外殻を切断してアイテムを盗むことを防ぐ盗難防止ネット部品が設けられ、後側の前記インナープレートの後端面には後凸台が設けられ、前記後凸台にはネジによりベルトを取り付け、前側の前記インナープレートの前端面には前凸台が設けられ、前記ベルトの端部には連結ブロックが設けられ、前記連結ブロックと前記前凸台との間には前記ベルトをロックするロック部品が設けられ、前記ロック部品は前記前凸台の中に位置する上に開口したロックチャンバを含み、前記連結ブロックの中には左右に貫通する貫通溝が設けられ、前記ロックチャンバの左右壁の中には対称的な第四チャンバが設けられ、前記第四チャンバの中にはロックブロックが弾性的に取り付けられ、前記ロックブロックは前記貫通溝と差し込み連結し係合され、前記貫通溝の中には二つのプッシュブロックがスライドできるように取り付けられ、前記前凸台の中には前記ロック部品のロックを解除するロック解除部品が設けられ、前記ロック解除部品は前記ロックチャンバの底壁と連通している伸縮溝を含み、前記伸縮溝の中には伸縮ブロックがスライドできるように取り付けられ、前記伸縮ブロックは前記プッシュブロックとスライドできるように係合されることができ、前記前凸台の中には前記ロック解除部品に電力を提供する給電部品が設けられる。
【０００６】
前記給電部品は前記前凸台の中に位置する上に開口したバッテリ溝を含み、前記バッテリ溝の中にはバッテリが電気により係合取り付けられ、前記バッテリにはバッテリ殻が設けられ、前記バッテリ溝の左側壁には上に開口した第一チャンバが設けられ、前記第一チャンバの中には阻みブロックが弾性的に取り付けられ、前記阻みブロックの左端面にはサイドスライダーが設けられ、前記サイドスライダーは前記第一チャンバの左側壁とスライドできるように係合され、前記前凸台の中には前記第一チャンバと連通している第二チャンバが設けられ、前記前凸台の頂部端面の中には前記第二チャンバと連通している押圧ロッド溝が設けられ、前記第二チャンバの中には差し込みブロックが弾性的に取り付けられ、前記バッテリ殻の左端面には差し込み溝が設けられ、前記差し込み溝は前記差し込みブロックと差し込み連結されて係合され、前記差し込みブロックの中には上に開口した割れ目が設けられ、前記押圧ロッド溝の中には押圧ロッドがスライドできるように取り付けられ、前記押圧ロッドは前記割れ目と差し込み連結されて係合され、前記押圧ロッド溝には第三チャンバが連通して設けられ、前記押圧ロッドには押し板が設けられ、前記押し板と前記第三チャンバの底壁との間にはばねが設けられ、前記前凸台の中にはスペアバッテリが設けられ、前記前凸台の右端面には充電孔が設けられる。
【０００７】
前記ロック部品は前記貫通溝の底壁に位置し前記連結ブロックの底部端面を貫通しているロック解除溝も含み、前記プッシュブロックの頂部端面にはトップスライダーが設けられ、前記トップスライダーは前記貫通溝の頂壁とスライドできるように係合され、前記ロックブロックの底部端面にはボトムスライダーが設けられ、前記ボトムスライダーは前記第四チャンバの底壁とスライドできるように係合される。
【０００８】
前記ロック解除部品は前記前凸台の前端面に位置するスクリーンも含み、前記スクリーンは指紋認証機能を有し、前記前凸台の中にはチップが設けられ、前記伸縮溝の下方にはモータが設けられ、前記モータの上方出力軸にはねじ軸が連結され、前記ねじ軸は前記伸縮ブロックとねじ山によって係合される。
【０００９】
前記盗難防止ネット部品は前記外殻の中に位置する左右に対称的な内チャンバを含み、前記内チャンバにおいて前後両側の前記インナープレートの間には均一に配置されるサイドチェーンベルトが接続され、左右両側の前記インナープレートの間には左から右へ均一に配置されるボトムチェーンベルトが連結される。
【発明の効果】
【００１０】
本発明の有益な効果は：本発明は、サイドチェーンベルトとボトムチェーンベルトとを有し、内部物品を取り出すために外殻１２が切断されるのを防止することができ、指紋でロック解除し、機密性が高く、バッテリーの取り付けと交換は簡単で、市場の見通しがあり、宣伝価値がある。
【図面の簡単な説明】
【００１１】
【図１】図１は本発明の盗難防止ハンドバッグの全体構成概略図
【図２】図２は図１の前断面構成概略図
【図３】図３は図１の中のＡ−Ａ方向の断面構成概略図
【図４】図４は図３の中のＢの拡大概略図
【発明を実施するための形態】
【００１２】
下記に図１〜４を合わせて本発明を詳しく説明する。説明を便利にさせるように、ここで後文に出る方位を下記の通りに規定する：下記の上下左右前後という方向は図３自身の投影関係の上下左右前後の方向と一致している。
【００１３】
図１〜４を参照し、本発明の実施例の盗難防止ハンドバッグは、外殻１２を含み、前記外殻１２の中には前後に対称的なインナープレート１４が設けられ、前記外殻１２の中には上に開口した収納チャンバ１８が設けられ、前記インナープレート１４の間には前記外殻１２を切断してアイテムを盗むことを防ぐ盗難防止ネット部品９０１が設けられ、後側の前記インナープレート１４の後端面には後凸台１５が設けられ、前記後凸台１５にはネジによりベルト１１を取り付け、前側の前記インナープレート１４の前端面には前凸台１７が設けられ、前記ベルト１１の端部には連結ブロック３４が設けられ、前記連結ブロック３４と前記前凸台１７との間には前記ベルト１１をロックするロック部品９０２が設けられ、前記ロック部品９０２は前記前凸台１７の中に位置する上に開口したロックチャンバ４０を含み、前記連結ブロック３４の中には左右に貫通する貫通溝３５が設けられ、前記ロックチャンバ４０の左右壁の中には対称的な第四チャンバ３０が設けられ、前記第四チャンバ３０の中にはロックブロック３２が弾性的に取り付けられ、前記ロックブロック３２は前記貫通溝３５と差し込み連結し係合され、前記貫通溝３５の中には二つのプッシュブロック３７がスライドできるように取り付けられ、前記前凸台１７の中には前記ロック部品９０２のロックを解除するロック解除部品９０３が設けられ、前記ロック解除部品９０３は前記ロックチャンバ４０の底壁と連通している伸縮溝４２を含み、前記伸縮溝４２の中には伸縮ブロック４３がスライドできるように取り付けられ、前記伸縮ブロック４３は前記プッシュブロック３７とスライドできるように係合されることができ、前記前凸台１７の中には前記ロック解除部品９０３に電力を提供する給電部品９０４が設けられる。
【００１４】
前記給電部品９０４は前記前凸台１７の中に位置する上に開口したバッテリ溝２７を含み、前記バッテリ溝２７の中にはバッテリ２６が電気により係合取り付けられ、前記バッテリ２６にはバッテリ殻５０が設けられ、前記バッテリ溝２７の左側壁には上に開口した第一チャンバ２４が設けられ、前記第一チャンバ２４の中には阻みブロック２３が弾性的に取り付けられ、前記阻みブロック２３の左端面にはサイドスライダー２２が設けられ、前記サイドスライダー２２は前記第一チャンバ２４の左側壁とスライドできるように係合され、前記前凸台１７の中には前記第一チャンバ２４と連通している第二チャンバ５６が設けられ、前記前凸台１７の頂部端面の中には前記第二チャンバ５６と連通している押圧ロッド溝５１が設けられ、前記第二チャンバ５６の中には差し込みブロック５７が弾性的に取り付けられ、前記バッテリ殻５０の左端面には差し込み溝６０が設けられ、前記差し込み溝６０は前記差し込みブロック５７と差し込み連結されて係合され、前記差し込みブロック５７の中には上に開口した割れ目５８が設けられ、前記押圧ロッド溝５１の中には押圧ロッド５５がスライドできるように取り付けられ、前記押圧ロッド５５は前記割れ目５８と差し込み連結されて係合され、前記押圧ロッド溝５１には第三チャンバ５２が連通して設けられ、前記押圧ロッド５５には押し板５３が設けられ、前記押し板５３と前記第三チャンバ５２の底壁との間にはばね５４が設けられ、前記前凸台１７の中にはスペアバッテリ４４が設けられ、前記前凸台１７の右端面には充電孔４５が設けられ、バッテリ２６を取り付けるとき、バッテリ２６をバッテリ溝２７の中に挿入させ、差し込みブロック５７は差し込み溝６０と差し込み連結され、バッテリ２６をロックし、針状物で押圧ロッド５５を押して差し込みブロック５７を押し動かして左に移動させ、阻みブロック２３はバッテリ殻５０およびバッテリ２６を押し動かして上に移動させ、バッテリ２６を取り出すことができる。
【００１５】
前記ロック部品９０２は前記貫通溝３５の底壁に位置し前記連結ブロック３４の底部端面を貫通しているロック解除溝３８も含み、前記プッシュブロック３７の頂部端面にはトップスライダー３６が設けられ、前記トップスライダー３６は前記貫通溝３５の頂壁とスライドできるように係合され、前記ロックブロック３２の底部端面にはボトムスライダー４１が設けられ、前記ボトムスライダー４１は前記第四チャンバ３０の底壁とスライドできるように係合され、連結ブロック３４をロックチャンバ４０の中に挿入し、ロックブロック３２は貫通溝３５に入り、連結ブロック３４をロックする。
【００１６】
前記ロック解除部品９０３は前記前凸台１７の前端面に位置するスクリーン２８も含み、前記スクリーン２８は指紋認証機能を有し、前記前凸台１７の中にはチップ４８が設けられ、前記伸縮溝４２の下方にはモータ４６が設けられ、前記モータ４６の上方出力軸にはねじ軸４７が連結され、前記ねじ軸４７は前記伸縮ブロック４３とねじ山によって係合され、ロックを解除するときはスクリーン２８で指を押し、指紋が正しい場合に、モータ４６は始動し伸縮ブロック４３を連動させて上方に移動させ、伸縮ブロック４３がロック解除溝３８の中に入った後に両側のロックブロック３２を貫通溝３５から移出させる。
【００１７】
前記盗難防止ネット部品９０１は前記外殻１２の中に位置する左右に対称的な内チャンバ１６を含み、前記内チャンバ１６において前後両側の前記インナープレート１４の間には均一に配置されるサイドチェーンベルト１３が接続され、左右両側の前記インナープレート１４の間には左から右へ均一に配置されるボトムチェーンベルト２０が連結され、サイドチェーンベルト１３とボトムチェーンベルト２０の作用により、側部または底部から収納チャンバ１８の中の物品を取り出すために外殻１２が切断されることを防止することができる。
【００１８】
利用するとき、連結ブロック３４をロックチャンバ４０の中に挿入し、連結ブロック３４がロックブロック３２を第四チャンバ３０の中に押し込み、接続ブロック３４が下がり続け、ロックブロック３２が貫通溝３５に入り、連結ブロック３４をロックし、左右両側のロックブロック３２がプッシュブロック３７をきつく挟み、ロックを解除するときにスクリーン２８で指を押し、チップ４８は指紋を比較し始め、指紋が正しい場合に、モータ４６は始動しねじ軸４７を回転連動させ、ねじ軸４７がねじ山の係合によって伸縮ブロック４３を連動させて上方に移動させ、伸縮ブロック４３がロック解除溝３８の中に入った後に両側のプッシュブロック３７と接触し、両側のプッシュブロック３７を押し、両側のロックブロック３２を貫通溝３５から移出させ、連結ブロック３４を引き出すことができる。
【００１９】
バッテリ２６を取り付けるとき、バッテリ２６をバッテリ溝２７の中に挿入させ、バッテリ殻５０は阻みブロック２３を押圧して下方に移動させ、差し込みブロック５７は阻みブロック２３によって阻まなくなり、差し込みブロック５７が差し込み溝６０と差し込み連結され、バッテリー２６をロックし、電池２６を取り替える必要があるときは、針状物で押圧ロッド５５を押し、押圧ロッド５５は割れ目５８と作動し合い、押圧ロッド５５が下方に移動し続け、差し込みブロック５７を押し動かして左に移動させ、阻みブロック２３がバッテリ殻５０と差し込みブロック５７とを押し動かして上に移動させ、バッテリ２６を取り出すことができ、バッテリ２６が消耗された後にスペアバッテリ４４を使い始め、充電孔４５を通してスペアバッテリ４４を充電することができる。
【００２０】
チップ４８によって携帯電話に連結し、スクリーン２８から指紋を入力し、チップ４８は指紋を記録し、サイドチェーンベルト１３とボトムチェーンベルト２０の作用により、側部または底部から収納チャンバ１８の中の物品を取り出すために外殻１２が切断されるのを防止することができる。
【００２１】
本発明の有益な効果は：本発明は、サイドチェーンベルトとボトムチェーンベルトとを有し、内部物品を取り出すために外殻１２が切断されるのを防止することができ、指紋でロック解除し、機密性が高く、バッテリーの取り付けと交換は簡単で、市場の見通しがあり、宣伝価値がある。
【００２２】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。